(57)【要約】【課題】スライドガラスマーキング装置と包埋カセットマーキング装置とを、レーザーカセットプリンターとして一体の装置とする。【解決手段】スライドガラス印字ステージ手段を水平角度まで回転させ、スライドガラス印字ステージ手段に載置されたスライドガラスに形成された印字面をレーザー光照射手段からのレーザー光を受光するように配置し、マーキング包埋カセット印字ステージ手段が水平角度、更にマーキング包埋カセットのマーキング面形成角度まで回転させ、マーキング包埋カセットス印字ステージ部に載置されたマーキング包埋カセットに形成された印字面をレーザー光照射手段からのレーザー光を直角に受光するように配置し、マーキングスライドガラスの印字面及び包埋カセット印字面を基準面から同一の高さに設定し、双方の印字面に、レーザー光を走査照射してマーキング印字する。【選択図】図１
2018069295.tif 000002
【特許請求の範囲】
【請求項１】
レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、計測時いずれかを収納し、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段が、回転可能で、印字面が水平角度で設置され、スライドガラス印字ステージ手段に載置されたマーキングスライドガラスに形成された印字面がレーザー光照射手段からのレーザー光を直角に受光するように配置され、
包埋カセットマーキング装置が、マーキング包埋カセットを載置するカセット印字ステージ手段を有し、マーキング包埋カセットが水平面に対して傾斜方向、もしくは傾斜方向及び直角方向に角度を持った印字面を有し、マーキング包埋カセット印字ステージ手段が、回転可能で、印字面が水平角度で設置され、マーキング包埋カセットス印字ステージ部に載置されたマーキング包埋カセットに形成された印字面がレーザー光照射手段からのレーザー光を直角に受光するように配置されて統合され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングスライドガラス及びマーキング包埋カセットにマーキングするマーキング装置。
【請求項２】
レーザー光の光源、レーザー発振手段及び制御手段を含むレーザー光照射手段を備えて、レーザー光照射手段からのレーザー光でマーキングガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納し、
スライドガラスマーキング装置が、多数のマーキングスライドガラスを収納するスライドガラス収納手段、マーキングスライドガラスを一枚ごろに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスが水平方向に形成された印字面を有し、スライドガラス印字ステージ手段が、少なくともスライドガラス用スロープ部の傾斜角度から水平角度の範囲で回転可能とされ、スライドガラス印字ステージ手段に載置されたマーキングスライドガラスに形成された印字面がレーザー光照射手段からのレーザー光を直角に受光するように配置され、
包埋カセットマーキング装置が、多数のマーキング包埋カセットを収納するマーキング包埋カセット収納手段、マーキング包埋カセットを一枚ごとに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、もしくは傾斜方向及び直角方向に角度を持った印字面を有し、マーキング包埋カセット印字ステージ手段は、印字面がカセット用切り出しスロープ部の傾斜角度から水平角度まで回転可能とされ、マーキング包埋カセットス印字ステージ部に載置されたマーキング包埋カセットに形成された印字面がレーザー光照射手段からのレーザー光を直角に受光するように配置されて統合され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングガラス及び包埋カセットにマーキングするマーキング装置。
【請求項３】
レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段を水平角度まで回転させ、スライドガラス印字ステージ手段に載置されたマーキングスライドガラスに形成された印字面をレーザー光照射手段からのレーザー光を直角に受光するように配置し、
包埋カセットマーキング装置が、マーキング包埋カセットを載置するカセット印字ステージ手段を有し、マーキング包埋カセットが水平面に対して傾斜方向、もしくは傾斜方向及び直角方向に角度を持った印字面を有し、マーキング包埋カセット印字ステージ手段を水平角度に回転設置し、マーキング包埋カセットス印字ステージ部に載置されたマーキング包埋カセットに形成された印字面をレーザー光照射手段からのレーザー光を直角に受光するように配置し統合し、
マーキングスライドガラスの印字面及びマーキング包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法。
【請求項４】
レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスがレーザー本体の空間部に収納可能とされ、水平方向に形成された印字面を有し、スライドガラス印字ステージ手段がスライドガラス用スロープ部の傾斜角度から水平角度の範囲で回転されて設置され、スライドガラス印字ステージ手段に載置されたマーキングスライドガラスに形成された印字面をレーザー光照射手段からのレーザー光を直角に受光するように配置し、
包埋カセットマーキング装置が、多数のマーキング包埋カセットを収納するマーキング包埋カセット収納手段、マーキング包埋カセットを一枚ごろに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、もしくは傾斜方向及び直角方向に角度を持った印字面を有し、印字面がカセット用切り出しスロープ部の傾斜角度から水平角度になるまで回転させ、マーキング包埋カセットス印字ステージ部に載置されたマーキング包埋カセットに形成された印字面をレーザー光照射手段からのレーザー光を直角に受光するように配置して統合し、
マーキングスライドガラスの印字面及び包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法。
【発明の詳細な説明】
【技術分野】
【０００１】
本発明は、マーキングスライドガラス及びマーキング包埋カセットにマーキングするマーキング装置及びこの装置を用いたマーキング方法に関する。
【背景技術】
【０００２】
病理検査にスライドガラスマーキング装置及び包埋カセットマーキング装置が用いられる。マーキングスライドガラス及びマーキング包埋カセットに直接印字することで、検体の取り違え防止が図られ、また病理検査のリスクマネジメントの強化が図られてきた。
【０００３】
スライドガラスマーキング装置にあっては、表面にサーマルヘッドを当接する熱転写方式の採用によってマーキングスライドガラスのフロスト部に無機粒子を転写することで任意形状の識別コード、模様あるいは文字をマーキングする。
【０００４】
包埋カセットマーキング装置にあっては、マーキング包埋カセットの印字面にレーザー光線を照射し、レーザー光線の影響下にマーキング包埋カセットを形成する樹脂を炭化させ色を変化させることで、印字面に識別コード、模様あるいは文字をマーキングする。
【０００５】
特許文献１には、アンチモンと錫の混合物を共沈で生じた後に焼成させて生じた粉末を添加剤として用い、包埋カセットを構成する樹脂にレーザー光線を照射し、レーザー光線を照射し、エネルギーを吸収させて熱を発生させ、取り巻いている材料に炭化を生じさせることで、取り巻き残りの領域と対照的な黒色あるいは暗色のマーキングを生じさせることが記載されている。
【０００６】
特許文献２には、制御用コンピュータに表示データを取り込み、制御用コンピュータからレーザー走査ユニットに制御信号を出力して、熱可塑性樹脂の成形品であるターゲットに表示を刻印することが記載されている。
【０００７】
特許文献３には、プラスチックスやゴムの成形固体表面に、樹脂に混在させた無機粒子を表面に塗布し、該表面に高エネルギーパルスレーザーの照射を行うマーキング方法が記載されている。
【０００８】
特許文献４には、基礎ポリマー及びレーザー照射時に色彩の変化を示す輻射線感受性添加剤からなるレーザー感受性被膜が形成されることが記載されている。
【先行技術文献】
【特許文献】
【０００９】
【特許文献１】特許第４４９３０７１号公報
【特許文献２】特開２００５−１７７８５８号公報
【特許文献３】特開平８−１７４２６３号公報
【特許文献４】特開２０００−４４２９３号公報
【発明の概要】
【発明が解決しようとする課題】
【００１０】
従来、上述したようにスライドガラスマーキング装置及び包埋カセットマーキング装置は、レーザーカセットプリンターとして別個の装置として製造され、販売されてきた。スライドガラスマーキング装置には、熱転写方式が採用され、熱転写に適した無機粒子がサーマルヘッドによって暖められ、フロスト部に転写されることで印字される方式が採用されてきた。
【００１１】
包埋カセットマーキング装置では、マーキング包埋カセットを構成する樹脂にレーザー光線で当て、樹脂を炭化して色を変化させることで印字する方式が用いられてきた。
【００１２】
このように双方のマーキング方法には大きな違いあり、スライドガラスマーキング装置及び包埋カセットマーキング装置は、別個独立の装置として製造されてきた。
【００１３】
マーキング包埋カセットを構成する樹脂には十分な熱抵抗があるので、レーザー光を照射したときに樹脂は十分に熱せされ、炭化して変色する。一方、マーキングスライドガラスに、マーキング包埋カセット印字方法を応用することを想定すると、その性質上マーキングスライドガラス上に塗布される樹脂は、極めて薄いされるために照射されたレーザー光のエネルギーはガラス材に逃げ、樹脂は炭化されるまで熱せられない。このため、マーキング包埋カセット印字方法をマーキングスライドガラス印字方法に応用することができなかった。
【００１４】
樹脂に特殊な顔料粒子を混在させ、顔料粒子がレーザー光を吸収し、顔料周辺の樹脂が炭化すると同時に顔料自体が黒色に発色するレーザーマーキング用顔料が販売されるようになった。
【００１５】
本願発明者らは、このマーキング用顔料をマーキングスライドガラス印字方法に応用することで、包埋カセットマーキング方法及びスライドガラスマーキング方法の双方に統一された同質のレーザー光線を採用することのできる技術の開発に努めた。その結果、炭化用樹脂の基礎ポリマーに添加するレーザーマーキング用顔料の添加量を工夫することで、スライドガラスマーキング装置及び包埋カセットマーキング装置の双方に、統一したレーザー光線を当て吸収させることで、マーキングスライドガラス及びマーキング包埋カセットの双方に印字できることを見出した。
【００１６】
本発明は、かかる点に鑑み顔料粒子がレーザー光を吸収し、顔料周辺の樹脂が炭化すると同時に顔料自体が黒色に発色するレーザーマーキング用顔料を応用採用し、統一された同質のレーザー光線を照射することで、スライドガラスマーキング装置と包埋カセットマーキング装置とを、双方の機能を持つ１台のレーザー光プリンターとして統合することができ、もって価格の安価なレーザー光プリンター装置を提供することを目的とする。
【課題を解決するための手段】
【００１７】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、計測時いずれかを収納し、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段が、回転可能で、印字面が水平角度で設置され、スライドガラス印字ステージ手段に載置されたマーキングスライドガラスに形成された印字面がレーザー光照射手段からのレーザー光を直角に受光するように配置され、
包埋カセットマーキング装置が、マーキング包埋カセットを載置するカセット印字ステージ手段を有し、マーキング包埋カセットが水平面に対して傾斜方向、もしくは傾斜方向及び直角方向に角度を持った印字面を有し、マーキング包埋カセット印字ステージ手段が、回転可能で、印字面が水平角度で設置され、マーキング包埋カセットス印字ステージ部に載置されたマーキング包埋カセットに形成された印字面がレーザー光照射手段からのレーザー光を直角に受光するように配置されて統合され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングスライドガラス及びマーキング包埋カセットにマーキングするマーキング装置を提供する。
【００１８】
本発明は、レーザー光の光源、レーザー発振手段及び制御手段を含むレーザー光照射手段を備えて、レーザー光照射手段からのレーザー光でマーキングガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納し、
スライドガラスマーキング装置が、多数のマーキングスライドガラスを収納するスライドガラス収納手段、マーキングスライドガラスを一枚ごろに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスが水平方向に形成された印字面を有し、スライドガラス印字ステージ手段が、少なくともスライドガラス用スロープ部の傾斜角度から水平角度の範囲で回転可能とされ、スライドガラス印字ステージ手段に載置されたマーキングスライドガラスに形成された印字面がレーザー光照射手段からのレーザー光を直角に受光するように配置され、
包埋カセットマーキング装置が、多数のマーキング包埋カセットを収納するマーキング包埋カセット収納手段、マーキング包埋カセットを一枚ごとに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、もしくは傾斜方向及び直角方向に角度を持った印字面を有し、マーキング包埋カセット印字ステージ手段は、印字面がカセット用切り出しスロープ部の傾斜角度から水平角度まで回転可能とされ、マーキング包埋カセットス印字ステージ部に載置されたマーキング包埋カセットに形成された印字面がレーザー光照射手段からのレーザー光を直角に受光するように配置されて統合され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングガラス及び包埋カセットにマーキングするマーキング装置を提供する。
【００１９】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段を水平角度まで回転させ、スライドガラス印字ステージ手段に載置されたマーキングスライドガラスに形成された印字面をレーザー光照射手段からのレーザー光を直角に受光するように配置し、
包埋カセットマーキング装置が、マーキング包埋カセットを載置するカセット印字ステージ手段を有し、マーキング包埋カセットが水平面に対して傾斜方向、もしくは傾斜方向及び直角方向に角度を持った印字面を有し、マーキング包埋カセット印字ステージ手段を水平角度に回転設置し、マーキング包埋カセットス印字ステージ部に載置されたマーキング包埋カセットに形成された印字面をレーザー光照射手段からのレーザー光を直角に受光するように配置し統合し、
マーキングスライドガラスの印字面及びマーキング包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法を提供する。
【００２０】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスがレーザー本体の空間部に収納可能とされ、水平方向に形成された印字面を有し、スライドガラス印字ステージ手段がスライドガラス用スロープ部の傾斜角度から水平角度の範囲で回転されて設置され、スライドガラス印字ステージ手段に載置されたマーキングスライドガラスに形成された印字面をレーザー光照射手段からのレーザー光を直角に受光するように配置し、
包埋カセットマーキング装置が、多数のマーキング包埋カセットを収納するマーキング包埋カセット収納手段、マーキング包埋カセットを一枚ごろに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、もしくは傾斜方向及び直角方向に角度を持った印字面を有し、印字面がカセット用切り出しスロープ部の傾斜角度から水平角度になるまで回転させ、マーキング包埋カセットス印字ステージ部に載置されたマーキング包埋カセットに形成された印字面をレーザー光照射手段からのレーザー光を直角に受光するように配置して統合し、
マーキングスライドガラスの印字面及び包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法。
【発明の効果】
【００２１】
本発明によれば、マーキングスライドガラスとマーキング包埋カセットとでは、その性格から印字面の印字角度に相違があることに基づいて、スライドガラスマーキング装置及び包埋カセットマーキング装置のそれぞれの一部を構成するスライドガラス印字ステージ手段の回転角度を違えて、それぞれに適した回転が可能にされ、マーキングスライドガラスの印字面及び包埋カセット印字面が基準面から同一の高さに設定され、双方の印字面に、レーザー光が走査照射されマーキングが印字される。これによって、同質の低エネルギーのレーザー光線で双方の樹脂を炭化させ色を変化させる方法が採用可能で、スライドガラスマーキング装置と包埋カセットマーキング装置とを、レーザー光プリンターとして統合された装置として機能させることが可能になり、また装置本体を共通化、統合した設計とすることが可能になり、スライドガラスマーキング装置と包埋カセットマーキング装置からなる全体装置を安価にすることが出来る。
【図面の簡単な説明】
【００２２】
【図１】本発明の実施例であるマーキングスライドガラス及び包埋カセットにマーキングするマーキング装置１００の構成を示す図。
【図２】マーキングスライドガラスの構成及び包埋カセットの構成を示す図。
【図３】マーキングスライドガラスの印字面及び包埋カセットの印字面の面一状態を示す図。
【図４】スライドガラスマーキング装置２の機器構成を示す図。
【図５】包埋カセットマーキング装置３の機器構成を示す図。
【図６】マーキングスライドガラスの切出し動作を説明する図。
【図７】マーキングスライドガラスの印字ステージへの滑り動作を説明する図。
【図８】マーキングスライドガラスの印字・排出動作を説明する図。
【図９】マーキング包埋カセットの切出し動作を説明する図。
【図１０】マーキング包埋カセットの印字ステージへの滑り動作を説明する図。
【図１１】マーキング包埋カセットの印字・排出動作を説明する図。
【発明を実施するための形態】
【００２３】
以下、本発明の実施の形態を図面に基づいて説明する。
【００２４】
図１は、本発明の実施例であるマーキングスライドガラス及びマーキング包埋カセットにマーキングするマーキング装置１００の構成を示す図である。このマーキング装置１００は、制御用コンピュータに表示データを取り込み、制御用コンピュータからレーザー走査ユニットに制御信号を出力して、マーキングスライドガラス及び熱可塑性樹脂の成形品であるターゲットに表示を刻印することができる。以下、説明する。
【００２５】
図１において、マーキングスライドガラス２０（以下、マーキングガラス２０という）２０及びマーキング包埋カセット３０（以下、包埋カセット３０という）にマーキングするマーキング装置１００（以下、マーキング装置１００という）は、装置本体１、スライドガラスマーキング装置２及び包埋カセットマーキング装置３から構成される。マーキング装置１００は、レーザー光の光源及びレーザー光照射手段を備えて、レーザー光照射手段からのレーザー光でマーキングガラス及び包埋カセットにマーキングする装置である。
【００２６】
装置本体１は、２段の箱体形態の上下階層１Ａ，１Ｂからなり、レーザー光の光源、レーザー発振手段及び制御手段を含むレーザー光照射手段２を備える。上部階層１Ａが、箱体内に固定されたレーザー光照射手段２を内蔵し、下部階層１Ｂが、上方に開放された空間部３及び底部４を備える。
【００２７】
装置本体１は、その空間部３にスライドガラスマーキング装置２及び包埋カセットマーキング装置３を個別に収納可能で、マーキング時、それらのいずれかの装置を収納可能である。各装置のサイズを例示すれば、図に示したような数値となる。
【００２８】
装置本体１が、スライドガラスマーキング装置２を収納したときに、マーキング装置１００は、スライドガラスレーザーマーカー１０１となり、包埋カセットマーキング装置３を収納したときに、マーキング装置１００は、包埋カセットレーザーマーカー１０２となる。
【００２９】
スライドガラスマーキング装置２は、マーキングガラスを収納する１００枚収納ケース及び印字後にストックするスライドガラスストッカーを備える。
【００３０】
包埋カセットマーキング装置３は、包埋カセットを収納する収納ケース及び印字後にストックする包埋カセット整列ユニットを備える。
【００３１】
図２は、マーキングガラスを収納する１００枚収納ケースに収納されるマーキングガラス２０及び包埋カセット整列ユニットに収納される包埋カセット３０を示す。マーキングガラス２０は、その水平上面の一部に印字用の塗装面２０Ａを有する。
【００３２】
包埋カセット３０には、２つのタイプがある。その一つは、４５度タイプと呼ばれるもので、印字面３０Ａが包埋カセット本体に対して４５度方向とされた印字面３０Ａを有し、他の一つは、スクエアタイプと呼ばれるもので、包埋カセット本体に対して直角をなす印字面３０Ｂを有する。４５°タイプのもので、印字面３０Ａに加えて、側面の直角面３０Cにも印字する場合がある。包埋カセットが傾斜方向、もしくは傾斜方向及び水平方向から直角に角度を持った印字面を有する。
【００３３】
図３は、マーキングガラスの印字面及び包埋カセットの印字面の面一状態を示す図である。
【００３４】
装置本体２が、その空間部３にスライドガラスマーキング装置２及び包埋カセットマーキング装置３を個別に収納したときに、いずれの印字面についても印字高さが基準面から一致されることを示す。基準面しては、底面がその一つに挙げられる。
【００３５】
図４は、スライドガラスマーキング装置２の機器構成を示す図である。
【００３６】
図４において、スライドガラスマーキング装置２は、マーキングガラスを収納する１００枚収納ケースＡ（１７）、マーキングガラスを収納する１００枚収納ケースＢ（１８）を収納可能とされ、スライドガラスマーキング装置本体２１、印字ステージ２２、マーキングスライドガラス用スロープ部を形成する切り出しスロープ２３、スライドガラス印字ステージ手段から排出する排出手段を形成する排出スロープ２４、及び二つのモーターＡ，Ｂ（２５，２６）から構成され、スライドガラスマーキング装置本体２１は、上方端部にマーキングガラス２０の配置方向に向いた切出しツメＡ，Ｂ（２７，２８）を持つ。モーターＡ（２５）は、切出しスロープ２３を傾動動作させることができ、モーターＢ（２６）は、印字ステージ２２を回転動作させることができる。
【００３７】
このように、スライドガラスマーキング装置は、多数のマーキングガラスを収納するマーキングスライドガラス収納手段、マーキングガラスを一枚ごろに切り出す切り出し手段、マーキングガラスを載置するスライドガラス印字ステージ手段、及び傾斜されたマーキングガラス用スロープ部を有してマーキングガラスをスライドガラス印字ステージ手段に滑らせ、セットするスライドガラスセット手段、及び他のマーキングガラス用スロープ部を有して印字されたマーキングガラスをスライドガラス印字ステージ手段から排出する排出手段を有し、マーキングガラスが水平方向に形成された印字面を有し、スライドガラス印字ステージ手段が、少なくともスライドガラス用スロープ部の傾斜角度から水平角度の範囲で回転可能とされて形成され、装置本体の空間部に収納可能とされ、スライドガラス印字ステージ手段に載置されたマーキングガラスに形成された印字面が基準面から同一高さでレーザー光照射手段からのレーザー光を直角に受光するように配置される。スライドガラス印字ステージ手段が、マーキングガラスを上述した回転方向に対して直角方向にも回転させるようにすることができる。これによって、図２における印刷面３０Cにおけるマーキングが可能とされる。
【００３８】
また、スライドガラスマーキング装置２は、収納状態で、マーキングガラスを載置するスライドガラス印字ステージ手段を有し、マーキングガラスが水平方向に形成された印字面を有し、スライドガラス印字ステージ手段が水平角度まで回転可能とされ、装置本体の空間部に収納可能とされ、スライドガラス印字ステージ手段に載置されたマーキングガラスに形成された印字面がレーザー光照射手段からのレーザー光を直角に受光するように配置される。
【００３９】
図５は、包埋カセットマーキング装置３の機器構成を示す図である。
【００４０】
図５において、包埋カセットマーキング装置３は、包埋カセットを収納する包埋カセット収納ケース１９が収納可能とされ、包埋カセットマーキング装置本体３１、印字ステージ３２、包埋カセット用スロープ部を形成する切り出しスロープ３３、包埋カセット印字ステージ手段から排出する排出手段を形成するプシュソレノイド３４Ａ及び排出穴３４Ｂ、及び二つモーターＡ，Ｂ（３５、３６）から構成される。
【００４１】
スライドガラスマーキング装置本体３１は、上方端部に包埋カセット３０の配置方向に向いた切出しツメ３７を持つ。印字ステージ３２は、外端にストッパー３８を備える。モーターＡ（３５）は、切出しスロープ３３を動作させることができ、モーターＢ（３６）は、印字ステージ３２を回転動作させることができる。
【００４２】
包埋カセットマーキング装置３は、多数の包埋カセットを収納するマーキング包埋カセット収納手段、マーキング包埋カセットを一枚ごとに切り出す切り出し手段、包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び他のマーキング包埋カセット用スロープ部を有して印字されたマーキング包埋カセットをマーキング包埋カセット手段から排出する排出手段を有し、包埋カセットが傾斜方向、もしくは傾斜方向および水平方向に角度を持った印字面を有し、マーキング包埋カセット印字ステージ手段がカセット用切り出しスロープ部の傾斜角度から水平角度、更に包埋カセットのマーキング面形成角度の範囲で回転可能とされて形成されて、レーザー本体の空間部に収納可能とされ、マーキング包埋カセットス印字ステージ部に載置された包埋カセットに形成された印字面がレーザー光発振手段からのレーザー光を直角に受光するように配置される。
【００４３】
このように、包埋カセットマーキング装置３は、収納状態で、包埋カセットを載置するカセット印字ステージ手段を有し、包埋カセットが傾斜方向、もしくは傾斜方向および水平方向から直角方向に角度を持った印字面を有し、マーキング包埋カセット印字ステージ手段が水平角度、更に包埋カセットのマーキング面形成角度まで回転可能とされて形成されて、装置本体の空間部に収納可能とされ、マーキング包埋カセットス印字ステージ部に載置された包埋カセットに形成された印字面がレーザー光照射手段からのレーザー光を受光するように配置される。
【００４４】
同質の低エネルギー、例えば１Wのレーザー光線で色を変化させる方法を採用し、スライドガラスマーキング装置と包埋カセットマーキング装置とを、レーザーカセットプリンターとして一体の装置として機能させる。レーザー光線は、１ｗでなくてもよいが、数ｗあれば十分に上述した双方の印字面に印字できる。
【００４５】
図６〜図８は、スライドガラスマーキング装置２の動作を説明する図である。
【００４６】
図６は、マーキングガラスの切出し動作を説明する図である。
【００４７】
図６において、  ・マーキングガラス２０が一枚だけ引っ掛かる高さの切出しツメＡ，Ｂ（２５，２６）で、一番下の、マーキングガラス一枚のみを切り出す。
【００４８】
・切出しツメＡ（２８）は、モーターＡ（２５）によりラックピニオンで動かす。切出しツメＢ（２６）についても同様に動かす。
・マーキングガラス１００枚収納ケースＡ（１７）及びマーキングガラス１００枚収納ケースＢ（１８）は、左右対称の構成、配置とされる。
【００４９】
マーキングガラス２０は、２カ所（マーキングガラス１００枚収納ケースＡ、Ｂの位置）にセットし、中央の切出しスロープへ切り出す。これによって、マーキングガラス１００枚収納ケースＡ（１７）及びマーキングガラス１００枚収納ケースＢ（１８）からの切り出し２９がなされる。なお、マーキングガラス１００枚収納ケースは、一方のみの設置であってもよい。
【００５０】
図７は、マーキングガラスの印字ステージへの滑り動作を説明する図である。なお、モーターＢ（３６）の位置を作図の都合で変更してある。
【００５１】
図５において、（１）上述したように切り出されたマーキングガラス２０が、切出しスロープ２３上で重力により傾き、滑り出す。
【００５２】
（２）滑りによりマーキングガラス２０は、印字ステージ２２の所定の位置にセットされる。
【００５３】
図８は、マーキングガラスの印字・排出動作を説明する図である。
【００５４】
図８において、・（１）ガラス受け位置でマーキングガラスを受け、印字ステージ２２へマーキングガラス２０がセットされた後、モーターＢ（２６）で印字ステージ２２を水平に傾けて、（２）印字位置に固定し、マーキングガラスの所定の印字箇所へレーザー光を照射して印字２９を行う。
【００５５】
印字後、さらにモーターＢ（２６）で印字ステージ２２を回転、傾け、（２）排出位置で、排出スロープ２４からマーキングガラス２０の排出を行う。
【００５６】
図９〜図１１は、包埋カセットマーキング装置２の動作を説明する図である。
【００５７】
図９は、包埋カセットの切出し動作を説明する図である。
【００５８】
図９おいて、  ・包埋カセット３０が一枚だけ引っ掛かる高さの切出しツメＡ、Ｂ（３７、３８）で、一番下の包埋カセット一枚のみを切り出す。
【００５９】
・切出しツメＢ（３８）は、モーターＡ（３５）によりラックピニオンで動かす。切出しツメＡ（３７）についても同様に動かす。
・包埋カセット収納ケースＡ（１９Ａ）及びマーキングガラス１００枚収納ケースＢ（１９Ｂ）は、左右対称の構成、配置とされる。
包埋カセット３０は、２カ所（包埋カセット収納ケースＡ、Ｂの位置）にセットし、中央の切出しスロープ３３へ切り出す。これによって、包埋カセット収納ケースＡ（１９Ａ）及び包埋カセット収納ケースＢ（１９Ｂ）からの切り出し３９がなされる。なお、包埋カセット収納ケースは、一方のみの設置であってもよい。ここで、切り出しとは、一つ一つが分離可能包埋カセットで形成された、集合された包埋カセット集合体から包埋カセットを一つずつ強制的に分離させることをいう。
【００６０】
図９は、包埋カセット３０の印字ステージ３２への滑り動作を説明する図である。
【００６１】
図９において、  ・切り出された包埋カセット３０が重力により傾き、切出しスロープ３３の上を滑り、印字ステージ３２に載る。
【００６２】
・包埋カセット３０が印字ステージ３２に乗った後、モーターＢ（３６）を駆動させ、印字ステージ３２を回動させ、傾ける。これによって、包埋カセット３０の位置合わせを行う。位置合わせは、包埋カセット３０の印字面３９が水平になるようになされる。包埋カセット３０の印字面３９が包埋カセットの傾斜面に設けられている場合には、その傾斜面が水平な位置になる位置に、そして包埋カセット３０の印字面３９が包埋カセットの直角面に設けられている場合には、その直角面が水平な位置になる位置に合わせられる。
【００６３】
図１１は、包埋カセット３０上への印字・排出動作を説明する図である。
【００６４】
図１１において、  ・包埋カセット３０の印字面角度の違いにより、モーターＢ（３６）の傾け度合いを調整し、印字を行う。包埋カセット３０には、傾斜面が４５度タイプのものと、直角のもののスクエアタイプの２種類がある。いずれのタイプにあっても、図に示されるように、印字面４０が水平面となうように調整し、また印字高さが基準面から同一になるように設定して、印字する。基準面から印字高さが同一とは、典型的には、底部９２（図１）からの高さであり、これはレーザー照射装置の照射口からの距離が同一であることを示す。基準面から印字高さが同一とすることで、レーザー光線の焦点合わせがなされて、同質のレーザー光線を印字面に照射することができる。
【００６５】
・印字ステージ３２が９０度傾いた状態でプッシュソレノイド３４Ａを駆動させ、ストッパー３８を解除し、排出穴３４Ａから排出する。
【００６６】
スライドガラス印字ステージ手段に載置されたマーキングガラス２０に形成された印字面が包埋カセット３０の印字面と同一高さでレーザー光照射手段からのレーザー光を直角に受光するように配置される。
【００６７】
また、スライドガラスマーキング装置２は、収納状態で、マーキングガラスを載置するスライドガラス印字ステージ手段を有し、マーキングガラスが水平方向に形成された印字面を有し、スライドガラス印字ステージ手段が水平角度まで回転可能とされて形成されて、装置本体の空間部に収納可能とされ、スライドガラス印字ステージ手段に載置されたマーキングガラスに形成された印字面がレーザー光照射手段からのレーザー光を受光するように配置される。  包埋カセットマーキング装置が、包埋カセットを載置するカセット印字ステージ手段を有し、包埋カセットが傾斜方向、もしくは傾斜方向及び水平方向から直角方向に角度を持った印字面を有し、マーキング包埋カセット印字ステージ手段が水平角度、更に包埋カセットのマーキング面形成角度まで回転可能とされて形成されて、レーザー本体の空間部に収納可能とされ、マーキング包埋カセット印字ステージ部に載置されたマーキング包埋カセットに形成された印字面がレーザー光照射手段からのレーザー光を直角に受光するように配置される。
【００６８】
マーキング装置１００が、スライドガラスマーキング装置２及びスライドガラスマーキング装置３のいずれかの収納状態で、
スライドガラスマーキング装置が、マーキングガラスを載置するスライドガラス印字ステージ手段を有し、マーキングガラスが水平方向に形成された印字面を有し、スライドガラス印字ステージ手段が、回転可能で、印字面が水平角度で設置され、スライドガラス印字ステージ手段に載置されたマーキングガラスに形成された印字面がレーザー光照射手段からのレーザー光を直角に受光するように配置されること、
包埋カセットマーキング装置が、包埋カセットを載置するカセット印字ステージ手段を有し、包埋カセットが傾斜方向、もしくは傾斜方向及び水平方向から直角方向に、もしくは双方向の角度をそれぞれ持った印字面を有し、マーキング包埋カセット印字ステージ手段が、回転可能で、印字面が水平角度で設置され、マーキング包埋カセットス印字ステージ部に載置された包埋カセットに形成された印字面がレーザー光照射手段からのレーザー光を直角に受光するように配置されること、
マーキングガラスの印字面及び包埋カセット印地面が底部から同一の高さに設定され、双方の印字面に、レーザー光照射手段からのレーザー光が走査照射されマーキングが印字されることの特徴を持った構成とされる。
【００６９】
スライドガラスマーキング装置が、マーキングスライドガラスを載置するスライドガラス印字ステージ手段を有し、マーキングスライドガラスが平面状の印字面を有し、印字面がレーザー光照射手段からのレーザー光を直角に受光するように配置され、
包埋カセットマーキング装置が、マーキング包埋カセットが平面に対して傾斜方向、もしくは傾斜方向及び直角方向に角度を持った印字面を有し、印字面がレーザー光照射手段からのレーザー光を直角に受光するように配置され、双方の印字面に、同質のレーザー光照射手段からのレーザー光が走査照射されマーキングがなされる状態を、本実施例では統合された状態であると呼称する。
【００７０】
本例で採用可能なマーキングガラスに言及すれば、次のようである。
【００７１】
塗料が、含有量で、三酸化ビスマス９８〜９９％、三酸化ネオジム０．３〜１．０％からなる酸化金属顔料粒子と、基礎ポリマーとしての樹脂とからなり、酸化金属顔料粒子の塗料に占める添加量が、含有量で、２０〜４０％とされたことを特徴とするスライドガラスマーキング装置及び包埋カセットマーキング装置併用のマーキング装置に使用されるマーキングスライドガラス。
【００７２】
上述のマーキングスライドガラスにおいて、酸化金属顔料粒子の添加量が、含有量で、２５〜３５％とされたことを特徴とするスライドガラスマーキング装置及び包埋カセットマーキング装置併用のマーキング装置に使用されるマーキングスライドガラス。
【００７３】
上述のスライドガラスマーキング装置及び包埋カセットマーキング装置併用のマーキング装置に使用されるマーキングスライドガラスにおいて、１wのレーザー光が照射されたときに、該マーキングスライドガラス上で、酸化金属顔料粒子がレーザー光を吸収し発熱し粒子周辺の樹脂がその熱により炭化変色し、酸化金属顔料粒子が黒化することを特徴とするスライドガラスマーキング装置及び包埋カセットマーキング装置併用のマーキング装置に使用されるマーキングスライドガラス。
【符号の説明】
【００７４】
１…装置本体、１Ａ、１Ｂ…上下部階層、２…スライドガラスマーキング装置、３…包埋カセットマーキング装置、１７、１８…スライドガラスを収納する１００枚収納ケースＡ及びマーキングガラスを収納する１００枚収納ケースＢ、１９…包埋カセット収納ケース、２０…マーキングガラス（マーキングスライドガラス）、２１…スライドガラスマーキング装置本体、２２…印字ステージ、２３…切出しスロープ、２４…排出スロープ、２５、２６…モーターＡ、Ｂ、２７、２８…切出しツメＡ、Ｂ、３０…包埋カセット（マーキング包埋カセット）、３１…包埋カセットマーキング装置本体、３２…印字ステージ、３３…切出しスロープ、３４…プシュソレノイド３４Ａ、３４Ｂ…排出穴、３５、３６モーターＡ、Ｂ、３７…切出しツメ、９０…レーザー光照射手段、９１…空間部、９２…底部、１００…マーキングガラス及び包埋カセットにマーキングするマーキング装置（マーキング装置）、１０１…スライドガラスレーザーマーカー、１０２…包埋カセットレーザーマーカー。
【図１】
2018069295.tif 000003
【図２】
2018069295.tif 000004
【図３】
2018069295.tif 000005
【図４】
2018069295.tif 000006
【図５】
2018069295.tif 000007
【図６】
2018069295.tif 000008
【図７】
2018069295.tif 000009
【図８】
2018069295.tif 000010
【図９】
2018069295.tif 000011
【図１０】
2018069295.tif 000012
【図１１】
2018069295.tif 000013
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、当該空間部がスライドガラスマーキング装置及び包埋カセットマーキング装置を個別に収納し、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段が、回転可能で、印字面が水平角度で設置され、スライドガラス印字ステージ手段に載置されたマーキングスライドガラスに形成された印字面がレーザー光照射手段からのレーザー光を直角に受光するように配置され、
包埋カセットマーキング装置が、マーキング包埋カセットを載置するカセット印字ステージ手段を有し、マーキング包埋カセットが水平面に対して傾斜方向、直角方向、もしくは傾斜方向及び直角方向に角度を持った印字面を有し、カセット印字ステージ手段が、回転可能で、印字面が水平角度で設置され、マーキング包埋カセット印字ステージ部に載置されたマーキング包埋カセットに形成された印字面がレーザー光照射手段からのレーザー光を直角に受光するように配置され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングスライドガラス及びマーキング包埋カセットにマーキングするマーキング装置。
【請求項２】
レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納し、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたマーキングスライドガラスをスライドガラス印字ステージ手段から排出する排出手段を有し、マーキングスライドガラスが水平方向に形成された印字面を有し、スライドガラス印字ステージ手段が、少なくともスライドガラス用スロープ部の傾斜角度から水平角度の範囲で回転可能とされ、スライドガラス印字ステージ手段に載置されたマーキングスライドガラスに形成された印字面がレーザー光照射手段からのレーザー光を直角に受光するように配置され、
包埋カセットマーキング装置が、多数のマーキング包埋カセットを収納するマーキング包埋カセット収納手段、マーキング包埋カセットを一枚ごとに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセットセット手段から排出する排出手段を有し、マーキング包埋カセットが水平面に対して傾斜方向、直角方向、もしくは傾斜方向及び直角方向に角度を持った印字面を有し、マーキング包埋カセット印字ステージ手段は、印字面がマーキング包埋カセット用スロープ部の傾斜角度から水平角度まで回転可能とされ、マーキング包埋カセットス印字ステージ部に載置されたマーキング包埋カセットに形成された印字面がレーザー光照射手段からのレーザー光を直角に受光するように配置され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングガラス及び包埋カセットにマーキングするマーキング装置。
【請求項３】
レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段を水平角度まで回転させ、スライドガラス印字ステージ手段に載置されたマーキングスライドガラスに形成された印字面をレーザー光照射手段からのレーザー光を直角に受光するように配置し、
包埋カセットマーキング装置が、マーキング包埋カセットを載置するカセット印字ステージ手段を有し、マーキング包埋カセットが水平面に対して傾斜方向、直角方向、もしくは傾斜方向及び直角方向に角度を持った印字面を有し、カセット印字ステージ手段を水平角度に回転設置し、マーキング包埋カセット印字ステージ部に載置されたマーキング包埋カセットに形成された印字面をレーザー光照射手段からのレーザー光を直角に受光するように配置し、
マーキングスライドガラスの印字面及びマーキング包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法。
【請求項４】
レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスが装置本体の空間部に収納可能とされ、水平方向に形成された印字面を有し、スライドガラス印字ステージ手段がスライドガラス用スロープ部の傾斜角度から水平角度の範囲で回転可能に設置され、スライドガラス印字ステージ手段に載置されたマーキングスライドガラスに形成された印字面をレーザー光照射手段からのレーザー光を直角に受光するように配置し、
包埋カセットマーキング装置が、多数のマーキング包埋カセットを収納するマーキング包埋カセット収納手段、マーキング包埋カセットを一枚ごろに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、直角方向、もしくは傾斜方向及び直角方向に角度を持った印字面を有し、印字面がマーキングスライドガラス用スロープ部の傾斜角度から水平角度になるまで回転させ、マーキング包埋カセットス印字ステージ部に載置されたマーキング包埋カセットに形成された印字面をレーザー光照射手段からのレーザー光を直角に受光するように配置し、
マーキングスライドガラスの印字面及び包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法。
【手続補正２】
【補正対象書類名】明細書
【補正対象項目名】０００５
【補正方法】変更
【補正の内容】
【０００５】
特許文献１には、アンチモンと錫の混合物を共沈で生じた後に焼成させて生じた粉末を添加剤として用い、包埋カセットを構成する樹脂にレーザー光線を照射し、エネルギーを吸収させて熱を発生させ、取り巻いている材料に炭化を生じさせることで、取り巻き残りの領域と対照的な黒色あるいは暗色のマーキングを生じさせることが記載されている。
【手続補正３】
【補正対象書類名】明細書
【補正対象項目名】００１３
【補正方法】変更
【補正の内容】
【００１３】
マーキング包埋カセットを構成する樹脂には十分な熱抵抗があるので、レーザー光を照射したときに樹脂は十分に熱せられ、炭化して変色する。一方、マーキングスライドガラスに、マーキング包埋カセット印字方法を応用することを想定すると、その性質上マーキングスライドガラス上に塗布される樹脂は、極めて薄くされるために照射されたレーザー光のエネルギーはガラス材に逃げ、樹脂は炭化されるまで熱せられない。このため、マーキング包埋カセット印字方法をマーキングスライドガラス印字方法に応用することができなかった。
【手続補正４】
【補正対象書類名】明細書
【補正対象項目名】００１７
【補正方法】変更
【補正の内容】
【００１７】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキングスライドガラスの印字面及びマーキング包埋カセット印字面のいずれかへレーザー光照射するときにいずれかを収納し、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段が、回転可能で、印字面が水平角度で設置され、スライドガラス印字ステージ手段に載置されたマーキングスライドガラスに形成された印字面がレーザー光照射手段からのレーザー光を直角に受光するように配置され、
包埋カセットマーキング装置が、マーキング包埋カセットを載置するカセット印字ステージ手段を有し、マーキング包埋カセットが水平面に対して傾斜方向、直角方向、もしくは傾斜方向及び直角方向に角度を持った印字面を有し、カセット印字ステージ手段が、回転可能で、印字面が水平角度で設置され、マーキング包埋カセット印字ステージ部に載置されたマーキング包埋カセットに形成された印字面がレーザー光照射手段からのレーザー光を直角に受光するように配置され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングスライドガラス及びマーキング包埋カセットにマーキングするマーキング装置を提供する。
【手続補正５】
【補正対象書類名】明細書
【補正対象項目名】００１８
【補正方法】変更
【補正の内容】
【００１８】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするマーキング装置において、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納し、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたマーキングスライドガラスをスライドガラス印字ステージ手段から排出する排出手段を有し、マーキングスライドガラスが水平方向に形成された印字面を有し、スライドガラス印字ステージ手段が、少なくともスライドガラス用スロープ部の傾斜角度から水平角度の範囲で回転可能とされ、スライドガラス印字ステージ手段に載置されたマーキングスライドガラスに形成された印字面がレーザー光照射手段からのレーザー光を直角に受光するように配置され、
包埋カセットマーキング装置が、多数のマーキング包埋カセットを収納するマーキング包埋カセット収納手段、マーキング包埋カセットを一枚ごとに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセットセット手段から排出する排出手段を有し、マーキング包埋カセットが水平面に対して傾斜方向、直角方向、もしくは傾斜方向及び直角方向に角度を持った印字面を有し、マーキング包埋カセット印字ステージ手段は、印字面がマーキング包埋カセット用スロープ部の傾斜角度から水平角度まで回転可能とされ、マーキング包埋カセット印字ステージ部に載置されたマーキング包埋カセットに形成された印字面がレーザー光照射手段からのレーザー光を直角に受光するように配置され、
マーキングスライドガラスの印字面及びマーキング包埋カセット印字面が基準面から同一の高さに設定され、双方の印字面に、レーザー光照射手段からのレーザー光が走査照射されマーキングが印字されること
を特徴としたマーキングガラス及び包埋カセットにマーキングするマーキング装置を提供する。
【手続補正６】
【補正対象書類名】明細書
【補正対象項目名】００１９
【補正方法】変更
【補正の内容】
【００１９】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が、２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段を水平角度まで回転させ、スライドガラス印字ステージ手段に載置されたマーキングスライドガラスに形成された印字面をレーザー光照射手段からのレーザー光を直角に受光するように配置し、
包埋カセットマーキング装置が、マーキング包埋カセットを載置するカセット印字ステージ手段を有し、マーキング包埋カセットが水平面に対して傾斜方向、直角方向、もしくは傾斜方向及び直角方向に角度を持った印字面を有し、カセット印字ステージ手段を水平角度に回転設置し、マーキング包埋カセット印字ステージ部に載置されたマーキング包埋カセットに形成された印字面をレーザー光照射手段からのレーザー光を直角に受光するように配置し、
マーキングスライドガラスの印字面及びマーキング包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法を提供する。
【手続補正７】
【補正対象書類名】明細書
【補正対象項目名】００２０
【補正方法】変更
【補正の内容】
【００２０】
本発明は、レーザー光の光源、レーザー発振手段及び制御手段を含むレーザー光照射手段を備えて、レーザー光照射手段からのレーザー光でマーキングスライドガラス及びマーキング包埋カセットにマーキングするものであって、
装置本体が２段の箱体形態の上下部階層からなり、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置によるマーキング方法において、
スライドガラスマーキング装置が、多数のマーキングスライドガラスを収納するスライドガラス収納手段、マーキングスライドガラスを一枚ごとに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスが装置本体の空間部に収納可能とされ、水平方向に形成された印字面を有し、スライドガラス印字ステージ手段がスライドガラス用スロープ部の傾斜角度から水平角度の範囲で回転可能に設置され、スライドガラス印字ステージ手段に載置されたマーキングスライドガラスに形成された印字面をレーザー光照射手段からのレーザー光を直角に受光するように配置し、
包埋カセットマーキング装置が、多数のマーキング包埋カセットを収納するマーキング包埋カセット収納手段、マーキング包埋カセットを一枚ごろに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び印字されたマーキング包埋カセットをマーキング包埋カセット手段から排出する排出手段を有し、マーキング包埋カセットが水平面に対して傾斜方向、直角方向、もしくは傾斜方向及び直角方向に角度を持った印字面を有し、印字面がマーキングスライドガラス用スロープ部の傾斜角度から水平角度になるまで回転させ、マーキング包埋カセットス印字ステージ部に載置されたマーキング包埋カセットに形成された印字面をレーザー光照射手段からのレーザー光を直角に受光するように配置し、
マーキングスライドガラスの印字面及び包埋カセット印字面を基準面から同一の高さに設定し、双方の印字面に、レーザー光を走査照射してマーキング印字すること
を特徴としたマーキング装置によるマーキングスライドガラス及びマーキング包埋カセットにマーキングするマーキング方法を提供する。
【手続補正８】
【補正対象書類名】明細書
【補正対象項目名】００４０
【補正方法】変更
【補正の内容】
【００４０】
図５において、包埋カセットマーキング装置３は、包埋カセットを収納する包埋カセット収納ケース１９が収納可能とされ、包埋カセットマーキング装置本体３１、印字ステージ３２、包埋カセット用スロープ部を形成する切り出しスロープ３３、包埋カセット印字ステージ手段から排出する排出手段を形成するプッシュソレノイド３４Ａ及び排出穴３４Ｂ、及び二つのモーターＡ，Ｂ（３５、３６）から構成される。
【手続補正９】
【補正対象書類名】明細書
【補正対象項目名】００４２
【補正方法】変更
【補正の内容】
【００４２】
包埋カセットマーキング装置３は、多数の包埋カセットを収納するマーキング包埋カセット収納手段、マーキング包埋カセットを一枚ごとに切り出す切り出し手段、包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び他のマーキング包埋カセット用スロープ部を有して印字されたマーキング包埋カセットをマーキング包埋カセット手段から排出する排出手段を有し、包埋カセットが傾斜方向、水平方向から直角方向に角度、もしくは傾斜方向および水平方向から直角方向に角度を持った印字面を有し、マーキング包埋カセット印字ステージ手段がカセット用切り出しスロープ部の傾斜角度から水平角度、更に包埋カセットのマーキング面形成角度の範囲で回転可能とされて形成されて、レーザー本体の空間部に収納可能とされ、マーキング包埋カセットス印字ステージ部に載置された包埋カセットに形成された印字面がレーザー光発振手段からのレーザー光を直角に受光するように配置される。
【手続補正１０】
【補正対象書類名】明細書
【補正対象項目名】００４３
【補正方法】変更
【補正の内容】
【００４３】
このように、包埋カセットマーキング装置３は、収納状態で、包埋カセットを載置するカセット印字ステージ手段を有し、包埋カセットが傾斜方向、水平方向から直角方向に角度、もしくは傾斜方向および水平方向から直角方向に角度を持った印字面を有し、マーキング包埋カセット印字ステージ手段が水平角度、更に包埋カセットのマーキング面形成角度まで回転可能とされて形成されて、装置本体の空間部に収納可能とされ、マーキング包埋カセットス印字ステージ部に載置された包埋カセットに形成された印字面がレーザー光照射手段からのレーザー光を受光するように配置される。
【手続補正１１】
【補正対象書類名】明細書
【補正対象項目名】００６０
【補正方法】変更
【補正の内容】
【００６０】
図１０は、包埋カセット３０の印字ステージ３２への滑り動作を説明する図である。
【手続補正１２】
【補正対象書類名】明細書
【補正対象項目名】００６１
【補正方法】変更
【補正の内容】
【００６１】
図１０において、切り出された包埋カセット３０が重力により傾き、切出しスロープ３３の上を滑り、印字ステージ３２に載る。
【手続補正１３】
【補正対象書類名】明細書
【補正対象項目名】００６７
【補正方法】変更
【補正の内容】
【００６７】
また、スライドガラスマーキング装置２は、収納状態で、マーキングガラスを載置するスライドガラス印字ステージ手段を有し、マーキングガラスが水平方向に形成された印字面を有し、スライドガラス印字ステージ手段が水平角度まで回転可能とされて形成されて、装置本体の空間部に収納可能とされ、スライドガラス印字ステージ手段に載置されたマーキングガラスに形成された印字面がレーザー光照射手段からのレーザー光を受光するように配置される。  包埋カセットマーキング装置が、包埋カセットを載置するカセット印字ステージ手段を有し、包埋カセットが傾斜方向、水平方向から直角方向に角度、もしくは傾斜方向及び水平方向から直角方向に角度を持った印字面を有し、マーキング包埋カセット印字ステージ手段が水平角度、更に包埋カセットのマーキング面形成角度まで回転可能とされて形成されて、レーザー本体の空間部に収納可能とされ、マーキング包埋カセット印字ステージ部に載置されたマーキング包埋カセットに形成された印字面がレーザー光照射手段からのレーザー光を直角に受光するように配置される。
【手続補正１４】
【補正対象書類名】明細書
【補正対象項目名】００６８
【補正方法】変更
【補正の内容】
【００６８】
マーキング装置１００が、スライドガラスマーキング装置２及びスライドガラスマーキング装置３のいずれかの収納状態で、
スライドガラスマーキング装置が、マーキングガラスを載置するスライドガラス印字ステージ手段を有し、マーキングガラスが水平方向に形成された印字面を有し、スライドガラス印字ステージ手段が、回転可能で、印字面が水平角度で設置され、スライドガラス印字ステージ手段に載置されたマーキングガラスに形成された印字面がレーザー光照射手段からのレーザー光を直角に受光するように配置されること、
包埋カセットマーキング装置が、包埋カセットを載置するカセット印字ステージ手段を有し、包埋カセットが傾斜方向、水平方向から直角方向に角度、もしくは傾斜方向及び水平方向から直角方向に、もしくは双方向の角度をそれぞれ持った印字面を有し、マーキング包埋カセット印字ステージ手段が、回転可能で、印字面が水平角度で設置され、マーキング包埋カセットス印字ステージ部に載置された包埋カセットに形成された印字面がレーザー光照射手段からのレーザー光を直角に受光するように配置されること、
マーキングガラスの印字面及び包埋カセット印地面が底部から同一の高さに設定され、双方の印字面に、レーザー光照射手段からのレーザー光が走査照射されマーキングが印字されることの特徴を持った構成とされる。
【手続補正１５】
【補正対象書類名】図面
【補正対象項目名】図２
【補正方法】変更
【補正の内容】
【図２】
2018069295.tif 000014
【手続補正１６】
【補正対象書類名】図面
【補正対象項目名】図５
【補正方法】変更
【補正の内容】
【図５】
2018069295.tif 000015